(57)【特許請求の範囲】
【請求項１】
鋼帯の表面にガスを吹き付けて、該表面のめっき用の溶融金属の付着量を調整する中空のガスワイピングノズルを備えたガスワイピング装置であって、
前記ガスワイピングノズルは、鋼帯の幅方向に延設して前記中空からガスを吹出すスリットと、ガスを該中空に導入するガス導入口を備えた隔壁と、を備えており、
前記スリットには、鋼帯の幅に応じて左右の領域を閉塞するとともに該スリットに沿ってスライド自在な左右の閉塞部材が配設され、かつ、離間した該左右の閉塞部材の間にガス吹出口が形成されており、
前記中空において、前記左右の閉塞部材のそれぞれのガス吹出口側端部から前記隔壁へ延設する左右の整流片が配設され、該左右の整流片の間でガス流路が形成されており、
前記左右の整流片はいずれも、前記中空の上面から下面まで延びており、
前記ガス吹出口の幅と前記ガス流路の幅が同じであるガスワイピング装置。
【請求項２】
前記左右の閉塞部材および前記左右の整流片が同期スライドしてガス吹出口の幅とガス流路の幅を調整する請求項１に記載のガスワイピング装置。
【請求項３】
前記ガスワイピングノズルの前記中空において、その上面には下面まで届かない垂れ片が固定され、この垂れ片から離れた位置の下面には上面まで届かない立上り片が固定されており、
ガス導入口からガス流路に導入されたガスは、垂れ片と立上り片を流通する過程で整流されるようになっている請求項１または２に記載のガスワイピング装置。
【請求項４】
前記左右の閉塞部材がそれぞれ、固有のスライド機構である左スライド機構と右スライド機構によってスライド自在となっており、
左スライド機構と右スライド機構が共通のベース上に搭載され、該ベースはベーススライド機構に繋がれてスライド自在となっており、
鋼帯の位置を検出する位置センサが設けてあり、
前記左スライド機構と右スライド機構によって左右の閉塞部材がスライドしてガス吹出口の幅が調整され、
前記位置センサにて検出された鋼帯の位置データに基づいてベーススライド機構がベースをスライドさせ、ベースのスライドによる右スライド機構と左スライド機構のスライドによって左右の閉塞部材が既に調整されているガス吹出口の幅を維持したままスライドするようになっている請求項１〜３のいずれかに記載のガスワイピング装置。
【請求項５】
前記左右の閉塞部材がそれぞれ、固有のスライド機構である左スライド機構と右スライド機構によってスライド自在となっており、
鋼帯の位置を検出する位置センサが設けてあり、
前記左スライド機構と右スライド機構によって左右の閉塞部材がスライドしてガス吹出口の幅が調整され、
前記位置センサにて検出された鋼帯の位置データに基づいて、左スライド機構と右スライド機構が左右の閉塞部材を既に調整されているガス吹出口の幅を維持したままスライドするようになっている請求項１〜３のいずれかに記載のガスワイピング装置。
【請求項６】
鋼帯の左右端から左右の閉塞部材のそれぞれのガス吹出口側端部までの隙間が同じ長さsとなるように調整されており、0≦s≦10mmの範囲である請求項４または５に記載のガスワイピング装置。
【発明の詳細な説明】
【技術分野】
【０００１】
本発明は、連続搬送されてめっき浴中に浸漬された鋼帯の表面にガスを吹き付けて該表面に付着するめっき用の溶融金属の付着量を調整するガスワイピング装置に関するものである。
【背景技術】
【０００２】
溶融金属のめっき浴中に鋼帯を連続的に浸漬させて溶融金属めっきをおこなうに当たり、浸漬後の鋼帯の未凝固めっき面にガスを吹付けて溶融金属の付着量を調整する、いわゆるガスワイピングが一般におこなわれており、たとえば、連続搬送される鋼帯の両側にガスワイピングノズルを備えたガスワイピング装置を配置しておき、該鋼帯の両側にガスを吹出すことによってガスワイピングがおこなわれる。
【０００３】
ガスワイピングノズルは、メッキポットの溶融金属内に浸漬されて、その前方を上方に搬送される鋼帯の幅方向の長さに対応する細長形状を有し、該幅方向（長手方向）に沿ってガスを吹き出すスリット状のガス吹出口が形成されている。このガス吹出口から鋼帯に対してその幅方向の一端から他端に亘って直線状にガスを吹き付けることにより、鋼帯の表面の溶融金属を所望に払拭してその付着量が調整される。
【０００４】
ところで、上記するガスワイピングにおいては、鋼帯幅方向の両端部における溶融金属の付着量が他の部分よりも多くなるオーバーコートや、両端部でガスに払拭された溶融金属が飛散するスプラッシュが問題となっている。これらのオーバーコートやスプラッシュといった問題は、鋼帯の両端部付近において対向するガスワイピングノズルから吐出されたガス同士の衝突によって乱流が発生することなどに起因するものである。
【０００５】
鋼帯の幅方向両端部における上記オーバーコートやスプラッシュを低減するために、特許文献１においては、対向する一対のノズルの両方のノズルのスリットの両端位置を可変とするスリット閉塞機構と、該スリットの両端位置を鋼帯の両端位置に調整するスリット幅調整機構と、前記ノズルの吐出流速が一定となるようにガス流量を調整する機構を有するガスワイピング装置が開示されている。
【０００６】
このガスワイピング装置によれば、鋼帯を挟んで対向する一対のノズル双方のスリットの両端位置を鋼帯の両端位置に調整することで、対向するノズルからの噴流同士が激しく衝突しない状態を形成して噴流同士の衝突に起因する乱流を解消し、鋼帯表面における溶融金属の付着量分布を可及的に均一にして、スプラッシュの発生と両端部におけるオーバーコートを抑制できるというものである。
【０００７】
しかしながら、特許文献１で開示されるガスワイピング装置は、ガスの吹出口のみを閉塞してガス吹付け幅を低減するものであることから、ノズルの中空内を流通してきたガスが吹出口で大幅に縮流され、この縮流によって周期的に渦が生ぜしめられてこの渦がガス流れを乱し、鋼帯の幅方向端部におけるオーバーコートやスプラッシュが断続的に発生することとなり、オーバーコートやスプラッシュを完全に抑止することはできない。
【０００８】
このことを、図１１で示す模式図を参照して説明する。同図は、特許文献１で開示されるガスワイピング装置Ｗを簡略化したものであるが、その前方で２つの閉塞部材Ｈ，Ｈがスライド自在となっていて（Ｙ１方向）、これらのスライドに応じて閉塞部材Ｈ，Ｈで囲まれた中央のガス吹出口Ｅの幅が可変に調整されるものである。ガスワイピング装置Ｗの後方から導入されたガス（Ｘ３方向）はその中空を介して前方へ流通してガス吹出口Ｅから吐出されるが（Ｘ４方向）、この中空を流通して閉塞部材Ｈ，Ｈに到達したガスはその流れを中央側に急激に縮流されることとなり（Ｘ５方向）、この急激な縮流によって上記する渦が生ぜしめられてこの渦がガス流れを乱し、鋼帯の幅方向端部におけるオーバーコートやスプラッシュが断続的に発生することとなる。
【先行技術文献】
【特許文献】
【０００９】
【特許文献１】特開２００７−２８４７３２号公報
【発明の概要】
【発明が解決しようとする課題】
【００１０】
本発明は上記する問題に鑑みてなされたものであり、鋼帯の表面にガスを吹き付けて該表面に付着しためっき用の溶融金属の付着量を調整するガスワイピングノズルを備えたガスワイピング装置に関し、鋼帯の幅方向端部におけるオーバーコートやスプラッシュの抑止効果に優れたガスワイピング装置を提供することを目的としている。
【課題を解決するための手段】
【００１１】
前記目的を達成すべく、本発明によるガスワイピング装置は、鋼帯の表面にガスを吹き付けて、該表面のめっき用の溶融金属の付着量を調整する中空のガスワイピングノズルを備えたガスワイピング装置であって、前記ガスワイピングノズルは、鋼帯の幅方向に延設して前記中空からガスを吹出すスリットと、ガスを該中空に導入するガス導入口を備えた隔壁と、を備えており、前記スリットには、鋼帯の幅に応じて左右の領域を閉塞するとともに該スリットに沿ってスライド自在な左右の閉塞部材が配設され、かつ、離間した該左右の閉塞部材の間にガス吹出口が形成されており、前記中空において、前記左右の閉塞部材のそれぞれのガス吹出口側端部から前記隔壁へ延設する左右の整流片が配設され、該左右の整流片の間でガス流路が形成されており、前記ガス吹出口の幅と前記ガス流路の幅が同じとなっているものである。
【００１２】
本発明のガスワイピング装置を構成するガスワイピングノズルは、鋼帯に対向し、該鋼帯の幅方向に延設する細長のスリットにおいて、その左右の領域を閉塞するとともに該スリットに沿ってスライド自在な左右の閉塞部材が配設され、スリットにおける左右の閉塞部材の間にガス吹出口が形成されており、左右の閉塞部材のスライドによってガス吹出口の幅が調整自在となっている。なお、この左右の閉塞部材のスライド形態は、双方が同期して同じ量だけスライドする形態や、左右の閉塞部材のいずれか一方のみがスライドする形態などがあり、左右の閉塞部材のスライドによってガス吹出口の幅を鋼帯の幅と同程度に調整することが可能となる。より具体的には、たとえば700〜1800mm程度の鋼帯の幅とガス吹出口の幅を同じに調整する場合や、ガス吹出口の幅を鋼帯の幅の左右からそれぞれ10mm程度広げた幅に調整する場合などがある。
【００１３】
そして、ガスワイピングノズルの中空内において、ガス導入口の左右端から左右の閉塞部材それぞれのガス吹出口側端部に延設する左右の整流片が配設され、この左右の整流片によって中空におけるガス流路が画成されていることにより、ガス導入口から導入されたガスのうち、特にガス流路の左右端で整流片に沿って流れるガスは、連続する整流片と閉塞部材のガス吹出口側端部を介してガス吹出口からスムーズに吐出されることになる。
【００１４】
すなわち、ガスワイピングノズルの中空内を流通してきたガスがガス吹出口で大幅（急激）に縮流され、この縮流によって周期的に渦が生ぜしめられてこの渦がガス流れを乱すといった作用は生じ得ない。このことにより、生成される渦によって乱されたガス流れに起因する鋼帯の幅方向端部におけるオーバーコートやスプラッシュを完全に解消することができる。
【００１５】
なお、本明細書において「左右」とは、メッキポットから上方に搬送される鋼帯の幅方向を左右方向と規定し、この鋼帯の幅方向を基準として、鋼帯の左右、スリットの左右の領域、ガス導入口の左右端などと称呼するものである。
【００１６】
そして、ガスワイピングノズルの中空内における左右の整流片によって画成されるガス流路の幅とガス吹出口の幅が常に同じに保たれるものであり、左右の閉塞部材のスライドによってガス吹出口の幅が変化した際には、これに追随して左右の整流片も同様にスライドし、ガス流路の幅とガス吹出口の幅が同じ状態で変化するものである。そして、このように左右の整流片がスライドすることから、本実施の形態における整流片は隔壁と縁切りされた構造を呈している。
【００１７】
さらに、本発明によるガスワイピング装置の好ましい実施の形態は、前記ガスワイピングノズルの前記中空において、その上面には下面まで届かない垂れ片が固定され、この垂れ片から離れた位置の下面には上面まで届かない立上り片が固定されており、ガス導入口からガス流路に導入されたガスは、垂れ片と立上り片を流通する過程で整流されるようになっているものである。
【００１８】
ガス流路内において、間隔をおいて垂れ片と立上り片が設けられていることで、これら垂れ片と立上り片をガスがうねるようにして流通する過程でガスが整流され、ガスの圧力や流速がガス流路の幅方向で可及的に均一化される。
【００１９】
また、左右の閉塞部材のスライド制御に関する実施の形態として、前記左右の閉塞部材がそれぞれ、固有のスライド機構である左スライド機構と右スライド機構によってスライド自在となっており、左スライド機構と右スライド機構が共通のベース上に搭載され、該ベースはベーススライド機構に繋がれてスライド自在となっており、前記ガス吹出口の近傍には鋼帯の位置を検出する位置センサが設けてあり、前記左スライド機構と右スライド機構によって左右の閉塞部材がスライドしてガス吹出口の幅が調整され、前記位置センサにて検出された鋼帯の位置データに基づいてベーススライド機構がベースをスライドさせ、ベースのスライドによる右スライド機構と左スライド機構のスライドによって左右の閉塞部材が既に調整されているガス吹出口の幅を維持したままスライドするようになっている形態を挙げることができる。
【００２０】
本実施の形態では、左右の閉塞部材のスライド制御が、それぞれに固有のスライド機構である左スライド機構と右スライド機構によっておこなわれるようになっている。ここで、「スライド機構」とは、閉塞部材をスライドさせるシリンダ装置や、スライド基板上をスライドする電動スライダ装置などからなる。シリンダ装置を用いる場合には、装置を構成して摺動するピストンの先端に閉塞部材を取り付けておき、ピストンの摺動に応じて閉塞部材を左右にスライド自在に構成することができる。また、電動スライダ装置を用いる場合には、電動スライダと閉塞部材をワイヤ等で繋いでおき、電動スライダがスライド基板上を左右にスライドするのに応じて閉塞部材を左右にスライド自在に構成することができる。
【００２１】
たとえばプロセスコンピュータに入力された鋼帯の幅に関するデータが左右のスライド機構に送信され、この送信データに基づいて左右のスライド機構がスライドしてガス吹出口の幅が所望の幅に調整されるようになっている。
【００２２】
ところで、還元焼鈍炉から搬送されてきた鋼帯は、めっきポット中の溶融金属内に浸漬され、めっきポット内にあるシンクロールを介して鉛直上方に搬送された後、この鉛直上方の鋼帯の搬送路の両側に配設された上記ガスワイピング装置から吹出されたガスによって、鋼帯の両側面に付着した溶融金属の一部が払拭されて所望の付着量に調整されるようになっている。鋼帯の幅に関するデータに基づいてガス吹出口の幅が所望の幅に調整されているものの、鋼帯はこの搬送過程で蛇行し、その中心ラインと既に幅が調整済みのガス吹出口の中心ラインがずれることが往々にしてある。
【００２３】
そこで、本実施の形態では、左スライド機構と右スライド機構を共通のベース上に搭載しておき、このベースをベーススライド機構に繋いでスライド自在としておく。さらにガス吹出口の近傍に鋼帯の位置を検出する位置センサを設けておき、この位置センサからの鋼帯の位置データ（鋼帯の中心ライン位置データ、もしくは鋼帯の左右端の位置データ）に基づいてベーススライド機構がベースを所望にスライドさせることにより、ガス吹出口の幅を規定する左右のスライド機構の相対位置を変化させないようにしてそれらを鋼帯の位置に対応するようにスライドさせるものである。
【００２４】
なお、このベーススライド機構も左右のスライド機構と同様に、シリンダ装置や電動スライダ装置などから形成することができる。また、「ガス吹出口の近傍には鋼帯の位置を検出する位置センサが設けてあり」に関し、位置センサはガス吹出口の近傍のうちでも可及的にガス吹出口に近い場所に設けてあるのが鋼帯に対するガスの吹出しをより精緻に実行できる観点から望ましいものの、ここでの「近傍」には、たとえばポット内にある浴面からガスワイピング装置の配設位置の上方までの間の比較的広い範囲を包含するものである。
【００２５】
また、左右の閉塞部材のスライド制御に関する他の実施の形態として、前記左右の閉塞部材がそれぞれ、固有のスライド機構である左スライド機構と右スライド機構によってスライド自在となっており、前記ガス吹出口の近傍には鋼板の位置を検出する位置センサが設けてあり、前記左スライド機構と右スライド機構によって左右の閉塞部材がスライドしてガス吹出口の幅が調整され、前記位置センサにて検出された鋼板の位置データに基づいて、左スライド機構と右スライド機構が左右の閉塞部材を既に調整されているガス吹出口の幅を維持したままスライドするようになっている形態を挙げることができる。
【００２６】
本実施の形態において、左スライド機構と右スライド機構によってガス吹出口の幅が調整されるのは既述の実施の形態と同じであるが、これら左右のスライド機構は共通のベース上に搭載されておらず、位置センサから受信した鋼帯の位置情報データに基づいて左右のスライド機構が同期して同じ方向に同じ量だけスライドし、もって左右の閉塞部材を既に調整されているガス吹出口の幅を維持したまま鋼帯の位置に対応するようにスライド制御するものである。
【００２７】
また、鋼帯の左右端から左右の閉塞部材のそれぞれのガス吹出口側端部までの隙間が同じ長さsとなるように調整されており、0≦s≦10mmの範囲であるのが好ましい。
【００２８】
本発明者等の検証結果に基づくものであり、鋼帯の左右端から左右の閉塞部材のそれぞれのガス吹出口側端部までの隙間ｓが0≦s≦10mmの範囲となっている場合に、スプラッシュの発生が無い、もしくは極めて少なく、ノズル詰まりが生じないことが実証されている。
【発明の効果】
【００２９】
以上の説明から理解できるように、本発明のガスワイピング装置によれば、ガス吹出口を形成するスリット内の左右の閉塞部材のガス吹出口側端部と、ガスワイピングノズルの中空内でガス流路を画成する左右の整流片を繋ぐという極めて簡易な構造改良により、ガスワイピングノズルの中空内を流通してきたガスがガス吹出口で大幅に縮流され、この縮流によって周期的に渦が生ぜしめられてこの渦がガス流れを乱すといった作用が生じることがなくなり、乱されたガス流れに起因する鋼帯の幅方向端部におけるオーバーコートやスプラッシュを完全に解消することができる。
【図面の簡単な説明】
【００３０】
【図１】溶融金属めっき装置の構成を示す模式図である。
【図２】ガスワイピング装置の一実施の形態の斜視図である。
【図３】図２のIII−III矢視図である。
【図４】図３のIV−IV矢視図である。
【図５】ガスワイピング装置の他の実施の形態の横断面図であって図３に対応した図である。
【図６】図５のVI−VI矢視図である。
【図７】左右の閉塞部材のスライド機構の一実施の形態の模式図である。
【図８】左右の閉塞部材のスライド機構の他の実施の形態の模式図である。
【図９】（ａ）は解析モデルの縦断面図であり、（ｂ）は（ａ）のｂ−ｂ矢視図である。
【図１０】（ａ）は比較例の解析結果を示す図であり、（ｂ）は実施例の解析結果を示す図である。
【図１１】従来のガスワイピング装置において、スライド自在な閉塞部材でガスが急激に縮流されることを説明した模式図である。
【発明を実施するための形態】
【００３１】
以下、図面を参照して本発明のガスワイピング装置の実施の形態を説明する。
【００３２】
（めっき装置）
図１に溶融金属めっき装置を模式図で示している。同図で示すめっき装置は、溶融亜鉛や溶融アルミ等の溶融金属Ｍからなるめっき浴が収容され、その内側に不図示の耐火煉瓦等がライニングされてなるめっきポットＹ内にシンクロールＲが回転自在に配設され、不図示のスナウト等を介して還元焼鈍炉から送られてきた鋼帯Ｋが溶融金属Ｍ内に浸漬され、シンクロールＲを介して鉛直上方に搬送されるようになっている（Ｘ１方向）。
【００３３】
鉛直上方に搬送された鋼帯Ｋは、その両側面に溶融金属が付着されているが、めっきポットＹの上方には、鉛直上方に搬送される鋼帯Ｋの搬送路の両側にガスワイピング装置１０，１０が配設されており、これらのガスワイピング装置１０，１０から吹出されたガス（空気、窒素、不活性ガスなど）により、鋼帯Ｋの両側面に付着した溶融金属の一部が払拭されて所望の付着量に調整されるようになっている。
【００３４】
（ガスワイピング装置の実施の形態１）
図２は、図１のめっき装置を構成するガスワイピング装置の一実施の形態を斜視図で示すものであり、図３は、図２のIII−III矢視図、図４は、図３のIV−IV矢視図である。
【００３５】
図２〜図４で示すガスワイピング装置１０は、中空のガスワイピングノズル１と、この後方に設けられてガスが該ガスワイピングノズル１の中空内に提供されるガス流入管１ｂにガスを供給する不図示のガス供給装置（ガス供給源）とから大略構成されている。
【００３６】
そして、ガスワイピングノズル１は、鋼帯Ｋの幅方向に延設してその中空からガスを吹出すスリット１ａ’（その全幅はＴ）を有し、該スリット１ａ’内において、その左右の領域を閉塞するとともに該スリット１ａ’に沿ってスライド自在な（Ｙ１方向）左右の閉塞部材２，２が配設されていて、これら離間した該左右の閉塞部材２，２の間のスリット領域にガス吹出口１ａが形成されている。
【００３７】
ガスワイピングノズル１の内部後方にはガス流入管１ｂが連通しており、その前方には複数のガス導入口１ｅを備えた隔壁１ｄが設けてある。不図示のガス供給装置から提供されたガスは、ガス流入管１ｂを介して（Ｘ２方向）ガスワイピングノズル１内に導入され、ガス導入口１ｅを介して中空内に導入される。
【００３８】
また、ガスワイピングノズル１の中空において、左右の閉塞部材２，２のそれぞれのガス吹出口側端部２ａ，２ａから隔壁１ｄへ延設する左右の整流片１ｃ、１ｃが配設されており、該左右の整流片１ｃ、１ｃと中空の上面および下面で画成された空間がガス流路ＧＲとなっている。
【００３９】
ガスワイピング装置１０では、左右の整流片１ｃ、１ｃの間に形成されるガス流路ＧＲの幅ｔと、ガス吹出口１ａの幅ｔが常に同じとなるように構成されている。すなわち、左右の閉塞部材２，２それぞれのガス吹出口側端部２ａ，２ａに対して左右の整流片１ｃ、１ｃの一端が直交姿勢で固定されており、かつ、左右の整流片１ｃ、１ｃの他端は隔壁１ｄと完全に縁切りされた構造を呈していることで、ガス吹出口１ａの幅ｔとガス流路ＧＲの幅ｔをともに同じ幅で可変調整することができる。
【００４０】
左右の閉塞部材２，２のスライド（Ｙ１方向）によってガス吹出口１ａの幅ｔが調整自在となっており、たとえば700〜1800mm程度の間で変化する鋼帯Ｋの幅とガス吹出口１ａの幅ｔを同じに調整する調整形態や、ガス吹出口１ａの幅ｔを鋼帯Ｋの幅の左右からそれぞれ10mm程度広げた幅に調整する調整形態などがあり、鋼帯Ｋの幅の変化に応じて所望にガス吹出口１ａの幅ｔが調整される。
【００４１】
また、左右の閉塞部材２，２のスライド形態は、双方が同期して同じ量だけスライドする形態や、左右の閉塞部材のいずれか一方のみがスライドする形態などがある。
【００４２】
図３からも明らかなように、複数のガス導入口１ｅからガス流路ＧＲ内に導入されたガス（Ｘ３方向）のうち、特にガス流路ＧＲの左右端で整流片１ｃ、１ｃに沿って流れるガスは、連続する整流片１ｃと閉塞部材２のガス吹出口側端部２ａを介してガス吹出口１ａからスムーズに吐出されることになる（Ｘ４方向）。
【００４３】
すなわち、ガスワイピングノズル１の中空内を流通してきたガスがガス吹出口１ａで急激に縮流され、この縮流によって周期的に渦が生ぜしめられてこの渦がガス流れを乱すといった作用は生じ得ない。このことにより、生成される渦によって乱されたガス流れに起因する鋼帯の幅方向端部におけるオーバーコートやスプラッシュを完全に解消することができる。
【００４４】
（ガスワイピング装置の実施の形態２）
図５は、ガスワイピング装置の他の実施の形態の横断面図であって図３に対応する態様で示したものであり、図６は図５のVI−VI矢視図である。
【００４５】
図示するガスワイピング装置１０Ａは、ガス流路ＧＲ内において、中空の上面には下面まで届かない垂れ片３ａが固定され、この垂れ片３ａから離れた位置の中空の下面には上面まで届かない立上り片３ｂが固定されており、ガス導入口１ｅからガス流路ＧＲに導入されたガスがこれら垂れ片３ａと立上り片３ｂを流通する過程（Ｘ３’）で整流されるようになっている。
【００４６】
左右の整流片１ｃ、１ｃの他端は、立上り片３ｂや垂れ片３ａよりも前方位置にあり、ガス吹出口１ａの幅の変動に応じてこれらの手前でスライドする。
【００４７】
この整流により、複数のガス導入口１ｅから導入されたガスの流速や圧力がガス流路ＧＲの幅方向で可及的に均一化され、流速や圧力の等しいガスが鋼帯Ｋの幅方向に亘って提供されることになる。
【００４８】
本実施の形態のガスワイピング装置１０Ａによっても、複数のガス導入口１ｅからガス流路ＧＲ内に導入されたガスのうち、特にガス流路ＧＲの左右端で整流片１ｃ、１ｃに沿って流れるガスは、連続する整流片１ｃと閉塞部材２のガス吹出口側端部２ａを介してガス吹出口１ａからスムーズに吐出されることになり、渦が生ぜしめられてガス流れが乱されるといった作用は生じ得ない。
【００４９】
（左右の閉塞部材のスライド機構の実施の形態１）
次に、図７を参照し、ガスワイピング装置１０を取り上げて左右の閉塞部材のスライド機構の実施の形態１を説明する。
【００５０】
図示するスライド機構において、左右の閉塞部材２，２はそれぞれ固有の左スライド機構５Ａと右スライド機構５Ｂによって左右にスライド自在となっており、さらに、左スライド機構５Ａと右スライド機構５Ｂが共通のベース６上に搭載され、この共通のベース６はベーススライド機構７に繋がれてスライド自在となっている。
【００５１】
左の閉塞部材２と左スライド機構５Ａを構成する電動スライダは、２本のワイヤＷ１，Ｗ１によってプーリー９を介して略環状に繋がれており、このことによって、左スライド機構５Ａが左右にスライドした際に（Ｚ１方向）、左の閉塞部材２も同期して左右にスライド自在となっている（Ｚ１’方向）。同様に、右の閉塞部材２と右スライド機構５Ｂを構成する電動スライダも、２本のワイヤＷ２，Ｗ２によってプーリー９を介して略環状に繋がれており、右スライド機構５Ｂが左右にスライドした際に（Ｚ２方向）、右の閉塞部材２も同期して左右にスライド自在となっている（Ｚ２’方向）。
【００５２】
さらに、左スライド機構５Ａと右スライド機構５Ｂを搭載する共通のベース６は、ベーススライド機構７を構成する電動シリンダにてスライド自在となっており、所望の幅ｔのガス吹出口１ａを規定するように位置決めされた左右の閉塞部材２、２のスライドを可能とする左右スライド機構５Ａ，５Ｂの位置を固定した状態で、ベーススライド機構７にてベース６がスライドすることにより、搬送途中で蛇行する鋼帯ＫのセンターラインＣＬ２とガス吹出口１ａのセンターラインＣＬ１を一致させるような制御が実行される。
【００５３】
具体的には、プロセスコンピュータＰＣから搬送される鋼帯Ｋの幅に関するデータが左右のスライド機構５Ａ，５Ｂに送信され、この送信信号に基づいて左右のスライド機構５Ａ，５Ｂがスライドして左右の閉塞部材２、２をスライドさせて所望幅ｔのガス吹出口１ａを形成する。
【００５４】
一方、搬送路を通る鋼帯Ｋの左右端近傍を、ガス吹出口１ａの近傍に配された２組の位置センサ４，４がセンシングしており、このセンシングデータがベーススライド機構７に送信されるようになっている。左右の位置センサ４，４からのセンシングデータによってガス吹出口１ａの近傍位置にある鋼帯ＫのセンターラインＣＬ２が割り出され、ガス吹出口１ａのセンターラインＣＬ１と一致していない場合にはその差分量だけベーススライド機構７とベース６がスライドし（Ｚ３方向）、このベース６のスライドによってそこに搭載されている左右のスライド機構５Ａ，５Ｂが同期スライドするのに応じて左右の閉塞部材２、２がスライドし、ガス吹出口１ａと鋼帯Ｋ双方のセンターラインＣＬ１，ＣＬ２が一致するように制御される。
【００５５】
（左右の閉塞部材のスライド機構の実施の形態２）
次に、図８を参照し、ガスワイピング装置１０を取り上げて左右の閉塞部材のスライド機構の実施の形態２を説明する。
【００５６】
図示するスライド機構と図７で示すスライド機構の相違点は、図示するスライド機構においては左右のスライド機構５Ａ，５Ｂが共通ベース上に搭載されていない点、図示する左右のスライド機構５Ａ，５Ｂは所望幅ｔのガス吹出口１ａを形成した後、鋼帯Ｋの蛇行に応じて双方が同期して同じ量だけスライドすることによって鋼帯Ｋの蛇行に追随する点である。さらに、鋼帯Ｋの右端ｅｄのみを１つの位置センサ４Ａでセンシングするものであるが、この位置センサ４Ａは位置センサスライド機構８によってスライド自在となっている点である。
【００５７】
鋼帯Ｋの蛇行に追随するように位置センサスライド機構８にて位置センサ４Ａがスライドしながら鋼帯Ｋの右端ｅｄをセンシングし、このセンシングデータが左右のスライド機構５Ａ，５Ｂに送信され、双方が同じ方向に同じ量だけスライドすることにより、左右の閉塞部材２、２が同じ方向に同じ量だけスライドし、ガス吹出口１ａに対して鋼帯Ｋの右端ｅｄが所望位置に位置決めされるように制御される。
【００５８】
[スプラッシュの程度を検証した乱流解析とその結果]
本発明者等は、図９ａ，ｂで模擬する解析モデルをコンピュータ内で作成し、LES乱流解析（LES:解析セルよりも大きい渦にモデル化することなく、直接計算する非定常乱流解析手法）をおこなった。図９ｂで示すように、鋼帯の幅t1は150mm、ガス吐出口の内幅t2、ガスの吹付幅t3も150mmとし、ガス吐出口の高さt4は1.2mm、鋼帯を挟んで対向する２つのガスワイピング装置のガス吐出口間隔t5は20mmとした。また、ガス吐出口内のエア圧は40kPaとした。
【００５９】
モデル化に際しては、図９ｂで示すように鋼帯の中心から半分の範囲をモデル化した（モデルの総セル数は2654640個）。コンピュータ画面に形成された解析結果図のうち、図１１の従来例をモデル化した解析結果図を図１０ａに、本発明に相当する実施例をモデル化した解析結果図を図１０ｂにそれぞれ示している。
【００６０】
図１０ａの右端領域では、エアの流れ方向が右斜め上方および右斜め下方に傾斜して流れているのに対して（このことは、スプラッシュが大きいことを実証している）、図１０ｂの右部領域では、エアの流れ方向が右斜め上方や右斜め下方に傾斜する割合が格段に少なく、スプラッシュの発生が極めて少ないことが実証されている。
【００６１】
[めっき処理の際の鋼帯通板速度（搬送速度）範囲に関する実験とその結果]
本発明者等は、図３，４で示すガスワイピング装置（実施例）と図１１で示す従来のガスワイピング装置（比較例）をそれぞれ適用した際の鋼帯通板速度に関する可能範囲を特定する実験をおこなった。具体的には、鋼帯の厚みが0.4mm、幅が1200mmのサイズで、鋼帯の左右端からガス吹出口端部までの隙間を0mmとして、めっき用の溶融金属である亜鉛の付着量を鋼帯の両面に120g/m2となる通板速度範囲を検証した。なお、図５，６で示す実施の形態２にかかるガスワイピング装置にて本実験はおこなっていないものの、実施の形態２のガスワイピング装置の場合には、実施の形態１のガスワイピング装置に対してさらに垂れ片と立上り片によるガスの整流効果が期待できることから、図３，４で示すガスワイピング装置での実験効果よりもより一層高い効果が奏されることは明確であることをここに付言しておく。
【００６２】
実験の結果を以下の表１に示している。表１において、○はスプラッシュの発生が少なく、鋼帯への再付着がない結果であり、△はスプラッシュの発生によってノズルへの付着はあるが鋼帯への再付着がない結果であり、×はスプラッシュの発生が多く、ノズルへの付着と鋼帯への再付着がある結果である。
【００６３】
表１で示すとおり、実施例のガスワイピング装置においては、通板速度が最高240mpmまでの範囲で通板させた場合に、スプラッシュが鋼帯に再付着しないことが確認されている。
【００６４】
一方、比較例のガスワイピング装置においては、同様の効果を期待できる通板速度範囲は最高180mpmまでの範囲であった。
【００６５】
本実験結果より、従来のガスワイピング装置を適用した場合と比べて、通板速度を３割以上も速くした操業が可能となることが実証されている。
【００６６】
【表１】
0006033558.tif 000002
【００６７】
[鋼帯の左右端からガス吹出口端部までの隙間の最適範囲を検証した実験とその結果]
本発明者等はさらに、鋼帯の左右端からガス吹出口端部までの隙間を種々変化させて、スプラッシュの発生の大小と、鋼帯への再付着の有無に関して実験をおこなった。既述する表１に各種条件と実験結果を示す。
【００６８】
本実験結果より、比較例に比して実施例は、ガス元圧が高く、通板速度が速い領域においても良好な結果となっている。また、実施例の実験結果より、鋼帯の左右端からガス吹出口端部までの隙間は0mm〜10mmの範囲が望ましいことが実証されている。
【００６９】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００７０】
１…ガスワイピングノズル、１ａ…ガス吹出口、１ａ’…スリット、１ｂ…ガス流入管、１ｃ…整流片、１ｄ…隔壁、１ｅ…ガス導入口、２…閉塞部材、２ａ…閉塞部材のガス吹出口側端部、３ａ…垂れ片、３ｂ…立上り片、４，４Ａ…位置センサ、５Ａ…左スライド機構、５Ｂ…右スライド機構、６…ベース（共通のベース）、７…ベーススライド機構、８…位置センサスライド機構、１０，１０Ａ…ガスワイピング装置、Ｍ…溶融金属（めっき浴）、Ｋ…鋼帯、Ｙ…めっきポット、Ｒ…シンクロール、Ｗ１、Ｗ２…ワイヤ、ＰＣ…プロセスコンピュータ、ＣＬ１…ガス吹出口のセンターライン、ＣＬ２…鋼帯のセンターライン、ｅｄ…鋼帯の右端エッジ
【図１】
0006033558.tif 000003
【図２】
0006033558.tif 000004
【図３】
0006033558.tif 000005
【図４】
0006033558.tif 000006
【図５】
0006033558.tif 000007
【図６】
0006033558.tif 000008
【図７】
0006033558.tif 000009
【図８】
0006033558.tif 000010
【図９】
0006033558.tif 000011
【図１０】
0006033558.tif 000012
【図１１】
0006033558.tif 000013